(57)【要約】  【課題】  本発明は、２つのケースを結合する際の組み立て製およびコストの点で好適な筐体の固定構造を提供することを目的とする。【解決手段】  固定部材５０は本体５１と係合孔５６が形成された係合部５２を有している。表示部ケース１０からは取付部１１ａと対向して係合突起６０が一体に突出している。係合突起６０は基部６１とこの基部よりも径が大きく形成された固定部６２とを有している。固定部６２は係合縁部６３を有している。表示部ケース１０と表示マスク１１とを仮結合させた状態で固定部材５０を取付部１１ａの底部１１ｃに形成されている開口部１１ｄに挿入し、係合突起６０の係合縁部６３が係合孔５６内部の係合縁部５７に係合される。【選択図】  図４
2007156551.tif 000002
【特許請求の範囲】
【請求項１】
固定部を有する第１のケースと、
上記第１のケースに結合されるとともに開口部を有する第２のケースと、
上記開口部を介して挿入されるとともに上記固定部に固定されることで上記第１のケースと第２のケースとを固定する固定部材と、
を具備することを特徴とする固定構造。
【請求項２】
上記固定部材は弾性部材により形成されていることを特徴とする請求項１記載の固定構造。
【請求項３】
上記固定部材は上記第２のケースから突出していることを特徴とする請求項２記載の固定構造。
【請求項４】
上記固定部は上記第１のケースと一体に形成されていることを特徴とする請求項３記載の固定構造。
【請求項５】
上記固定部は先端に係合縁部を有し、上記固定部材は内部に係合縁部を有した係合孔を有し、上記固定部材の係合縁部は上記固定部の係合縁部に係合されることを特徴とする請求項４記載の固定構造。
【請求項６】
上記固定部は、上記第１のケースとは別部材にて形成され、上記第１のケースに取り付けられていることを特徴とする請求項３記載の固定構造。
【請求項７】
上記固定部は開口部を有し、上記固定部材は上記固定部の開口部よりも径の大きい引っ掛け部を有し、この引っ掛け部が上記固定部の開口部の開口縁部に係合されることを特徴とする請求項６記載の固定構造。
【発明の詳細な説明】
【技術分野】
【０００１】
本発明は、ノート型コンピュータ等の電子機器にかかり、特に筐体の固定構造に関する。
【背景技術】
【０００２】
一般に、ノート型コンピュータ所謂、ノートブック型パーソナルコンピュータ（以下、コンピュータと称する）は、本体と、この本体に回動可能に結合された表示部とを有している。通常、本体筐体や表示部筐体は２つのケースを結合することで筐体が形成されている。たとえば、表示部筐体は表示パネルが搭載される表示部ケースとこの表示部ケースに結合される表示マスクとを有している。表示マスクと表示部ケースとの結合は、表示マスクに設けられたラッチを表示部ケースに結合したのち、表示部ケースと表示マスクとをねじ固定することで表示部筐体を形成している（特許文献１参照）。
【特許文献１】特開２００４−２８０３３１号公報（段落番号００３９，００４９、図６、８参照）
【発明の開示】
【発明が解決しようとする課題】
【０００３】
特許文献１に記載の従来の方法では、表示マスクと表示部ケースとをねじを介して強固に結合することは可能であるが、ラッチ結合工程の外にねじ止め作業を要し、さらには表示部筐体を本体筐体に閉じた際に生じる衝撃吸収のための緩衝材（ゴム等）をねじの上に貼り付けたりする作業を要するために、組み立て製、コストの面で好ましくない。
そこで本発明は、２つのケースを結合する際の組み立て製およびコストの点で好適な筐体の固定構造を提供することを目的とする。
【課題を解決するための手段】
【０００４】
上記目的を達成するために本発明の固定構造は、固定部を有する第１のケースと、第１のケースに結合されるとともに開口部を有する第２のケースと、開口部を介して挿入されるとともに固定部に固定されることで第１のケースと第２のケースとを固定する固定部材と、を具備することを特徴とする。
【発明の効果】
【０００５】
本発明によれば、２つのケースを結合する際の組み立て製およびコストの点で好適な筐体の固定構造を提供することが可能である。
【発明を実施するための最良の形態】
【０００６】
以下、図面を参照して本発明の実施形態について詳細に説明する。図１は、電子機器の斜視図である。
【０００７】
ノート型コンピュータ（電子機器）１は本体筐体２と、この本体筐体２に結合される表示部筐体３とを有している。本体筐体２は下ケース４と、この下ケース４に結合される上ケース５とを有している。上ケース５の上面６の全部にはパームレスト７が設けられている。上面６にはキーボード載置部８が設けられており、このキーボード載置部８にはキーボード９が着脱自在に搭載されている。パームレスト７の略中央にはポインティングデバイス１６が設けられている。
【０００８】
表示部筐体３は表示部ケース（第１のケース）１０を有しており、この表示部ケース１０には表示マスク（第２のケース）１１が結合されている。表示部ケース１０と表示マスク１１とで形成される表示部筐体内には表示パネル（ＬＣＤ）１３が内蔵されている。表示マスク１１はＬＣＤ１３の表示面を露出するための開口部１２が設けられている。表示マスク１１は後述する固定部材３０により表示部ケース１０に固定されている。
【０００９】
本体筐体２の後部には表示部筐体３を結合するための凹状に形成された一対の結合部１４ａ，１４ｂが設けられている。表示部筐体３は結合部１４ａ，１４ｂに結合される一対の脚部１５ａ，１５ｂを有している。結合部１４ａ，１４ｂと脚部１５ａ，１５ｂとは図示しないヒンジ装置により結合されることで表示部筐体３は本体筐体２に対して回動可能となる。
【００１０】
図２は、第１の実施例に係る固定部材の斜視図である。固定部材３０はゴム等の弾性部材で構成されている。固定部材３０は、本体部３１と係合部３２とを有している。本体３１と係合部３２とは径の小さい結合部３３を介して一体に構成されている。本体３１は表示マスク１１より露出される露出面３４を有している。また露出面３４と対向して本体３１には密着面３１ａが設けられている。係合部３２は結合部３３よりも径が大きく形成された引っ掛け部３５が形成されており、引っ掛け部３５の端部３６には開口部３７が形成されている。
【００１１】
図３は、第１の実施例に係る表示部筐体の固定部の断面図である。表示部ケース１０には係止部材２０が取り付けられている。係止部材２０は係止部２１と、係止部２１より一体に延びる脚部２２と、この脚部２２より延出し表示部ケース１０にねじ２５ａ，２５ｂにより固定される一対の脚部２３ａ，２３ｂを有している。固定部２１には開口部２４が設けられている。
【００１２】
表示マスク１１には固定部材３０が取り付けられる取付部１１ａが一体に設けられている。取り付け部１１ａの縁部からは側壁１１ｂが内部方向に一体に形成されている。側壁１１ｂの端部には、表示マスク１１が表示部ケース１０に結合されたとき係止部材２０の係止部２１に当接される底壁が形成されている。底壁１１ｃには開口部１１ｄが設けられている。開口部１１ｄは固定部２１の開口部２４と重なる状態になる。
【００１３】
固定部材３０は端部３６を先頭に取付部１１ａの底壁１１ｃを介して固定部２１の開口部２４に挿入される。このとき固定部材３０の引っ掛け部３５は固定部２１の開口部２４よりも径が大きく形成されている。しかしながら端部３６には開口部３７が形成されており、固定部材３０を底壁１１ｃの開口部１１ｄへ強く押し込む。強く押し込まれた引っ掛け部３５は開口部３７の分だけ係合部３２の中心方向に収縮することで引っ掛け部３２は外形寸法が小さくなり開口部２４に挿入可能となる。
【００１４】
固定部材３０を、本体３１の密着面３１ａが底壁１１ｃに当接するまでさらに押し込む。この状態で引っ掛け部３５は開口部２４を通り抜け、結合部３３が開口部２４に位置する。この状態で固定部材３０が停止すると、引っ掛け部３５は開口部２４を通り抜けているため元の大きさ（開口部２４よりも径が大きい状態）に復帰する。したがって、引っ掛け部３５は開口部２４の縁部に内側より引っ掛かった状態となっている。そのため、固定部材３０を固定部１１ａより取り外そうとしても引っ掛け部３５が係止部２１に引っ掛かっている状態となり簡単には外れない構成となる。
【００１５】
このような構成により、表示部ケース１０と表示マスク１１と組み合わせ、固定部材３０を挿入するだけでねじを使うことなく表示部ケースと１０と表示部マスク１１とを結合させることができる。
【００１６】
固定部材３０の本体部３１は表示マスク１１の表面よりも突出した状態で係合されており、露出面３４が表示マスク１１より露出されている。そのため表示部筐体３を本体筐体２へ閉じた状態において、固定部材３０の露出面３４が本体筐体の上面６に当接することで、表示部筐体３を閉じた際に生じる衝撃を固定部材３０が吸収する。したがって固定部材３０は表示マスクと表示部ケースとを固定すると同時に表示部筐体と本体筐体の衝撃吸収をする機能を有している。
【００１７】
図４は、第２の実施例に係る固定部材の斜視図である。図５は、第２の実施例に係る表示部筐体の固定部の断面図である。
【００１８】
固定部材５０はゴム等の弾性部材にて形成されている。図４に示すように、固定部材５０は本体５１と本体よりも径の小さい係合部５２を有している。本体５１は密着面５１ａと露出面５３とを有している。係合部５２は先端がテーパー面５４を介して先細り上に形成されている。端部５５には係合孔５６が形成されている。
【００１９】
図５に示すように、表示部ケース１０からは取付部１１ａと対向して係合突起６０が一体に突出している。係合突起６０は基部６１とこの基部よりも径が大きく形成された固定部６２とを有している。固定部６２は係合縁部６３を有している。係合縁部６３から端部６４に向かってテーパー上に先細り上に形成されている。
【００２０】
表示部ケース１０と表示マスク１１とを仮結合させた状態で係合突起６０は表示マスク１１に形成されている取付部１１ａの開口部１１ｄと対向する状態になる。この状態で固定部材５０を取付部１１ａの底部１１ｃに形成されている開口部１１ｄに挿入する。固定部材の係合部５２の径は略開口部１１ｄの径と同じ大きさに形成されている。また、係合特許６０の係合縁部６３の径は係合孔５６の径よりも大きく形成されている。固定部材５０の係合部５２を開口部１１ｄに挿入すると、係合突起６０の端部６４が係合孔５６に挿入されようとする。このとき固定部材５０は弾性部材にて形成されているために固定部材５０を強く押し込むと端部５５が係合突起６０の端部６４に形成されているテーパー面により外形方向に押し広げられることで係合突起６０の固定部６２が係合孔５６内に挿入される。係合孔５６内は係合孔５６の径よりも大きく形成された空間が形成されており係合縁部５７が形成されている。係合突起６０の固定部６２が係合孔５６内に挿入されると係合縁部６３が係合孔５６内部の係合縁部５７に係合される状態となる。
【００２１】
このように係合縁部６３と係合縁部５７とが係合されることにより固定部材５０が表示部筐体３に取り付けられる。固定部材５０が表示部筐体３に取り付けられた上体において、固定部材５０の密着面５１ａは取付部１１ａの底壁１１ｃに当接される。固定部材５０の本体部５１は表示マスク１１の外面より突出した状態となっている。
【００２２】
したがって、第１の実施の形態と同様に、ねじを使うことなく表示部ケースと１０と表示部マスク１１とを結合させることができ、また、表示部筐体と本体筐体の衝撃吸収をすることができる。
【００２３】
なお、第１の実施の形態に比べ第２の実施の形態はねじを使用する必要が無いためコストおよび組み立て製において第１の実施の形態よりも好適である。
【００２４】
本発明は、表示部筐体の表示マスクと表示部ケースとの結合について説明したが、本体筐体の下ケースと上ケースとの結合にも適用することが可能である。さらに、ノート型コンピュータのような電子機器に限らず、ＰＤＡ、携帯電話等の電子機器にも適用することができる。
【図面の簡単な説明】
【００２５】
【図１】電子機器の斜視図。
【図２】第１の実施例に係る固定部材の斜視図。
【図３】第１の実施例に係る表示部筐体の固定部の断面図。
【図４】第２の実施例に係る固定部材の斜視図。
【図５】第２の実施例に係る表示部筐体の固定部の断面図。
【符号の説明】
【００２６】
１…ノート型コンピュータ（電子機器）、２…本体筐体、３…表示部筐体、４…下ケース、５…上ケース、１０…表示部ケース（第１のケース）、１１…表示マスク（第２のケース）、１１ａ…取付部、１３…表示パネル（ＬＣＤ）、２０…係止部材、２１…係止部、２２…脚部、１１ｄ、２４，３７…開口部、３０，５０…固定部材、３１，５１…本体部、３２，５２…係合部、３３…結合部、３４…露出面、３５…引っ掛け部、３７…開口部、６０
【図１】
2007156551.tif 000003
【図２】
2007156551.tif 000004
【図３】
2007156551.tif 000005
【図４】
2007156551.tif 000006
【図５】
2007156551.tif 000007